(57)【特許請求の範囲】
【請求項１】
ゴミ供給口から燃焼室内に供給される被焼却物を、燃焼室内にて、下方に風箱を有する複数のストーカ段の上を順次移動させながら乾燥および熱分解を行い、更に燃焼させるストーカ式焼却炉において、
少なくとも、前記ゴミ供給口の近くに位置して前記乾燥及び熱分解を行うストーカ段である乾燥段に積層される被焼却物に対して、前記風箱の静圧を測定し、積層されている前記被焼却物の積層厚さを推定し、推定した積層厚さに応じて前記風箱を通じて供給する空気の供給量を変化させるように調整する空気供給制御部を有し、
前記ストーカ段のうち少なくとも一つのストーカ段の下方に位置する前記風箱は、前記被焼却物の移動方向と直交する幅方向に対して複数分割され、前記移動方向に並列するよう配置されており、  前記空気供給制御部は、この分割された各風箱を通じて供給する空気の供給量をそれぞれ変化させるとともに、分割された各風箱に対して前記幅方向に順次空気を供給するように調整することを特徴とするストーカ式焼却炉。
【発明の詳細な説明】
【０００１】
【発明の属する技術分野】
本発明は、都市ゴミや産業用廃棄物等の被焼却物の焼却に用いられるスト−カ式焼却炉及びそれによる焼却方法に関し、とくに炉の焼却効率を向上させ未燃ガスの量を低減するためのストーカ式焼却炉及びそれによる焼却方法に関する。
【０００２】
【従来の技術】
従来、都市ゴミや産業廃棄物等の被焼却物を焼却処理する焼却炉としては、下方に風箱を有する複数のストーカ段を有するスト−カ式焼却炉が広く使用されている。このストーカ式焼却炉は、燃焼室の下部に、後方に下り傾斜する乾燥ストーカ段（以下、「乾燥段」という）、燃焼ストーカ段（以下、「燃焼段」という）及び後燃焼ストーカ段（以下、「後燃焼段」という）を前後方向に階段状に縦列配置し、乾燥段の入口にゴミ供給口を設け、後燃焼段の出口に灰出し口を設け、燃焼室の上に二次燃焼室を設けて構成される。
【０００３】
この構成のストーカ式焼却炉では、ゴミ供給口から供給される被焼却物は、ゴミ供給口から順に乾燥段、燃焼段及び後燃焼段の各スト−カ段上を順次移動しながら、乾燥及び熱分解が行われ、更に燃焼させられる。ゴミ供給口から乾燥段前部に供給された被焼却物は、乾燥段において下からの１次空気と炉内の輻射熱により乾燥される。特に都市ゴミの中には約５０％の水分が含まれるため、この水分の蒸発が行われ、合わせて一部熱分解もこの乾燥段で行われる。その後、燃焼段は、供給される１次空気によりゴミに着火させ、揮発分および固定炭素分を燃焼させる。後燃焼段は、燃焼されずに通過してきた未燃分（主として固定炭素分）を完全に灰になるまで燃焼させる。また、燃焼室で生じた熱分解ガスは、二次空気と混合されて二次燃焼室に至り、そこで燃焼させられる。
【０００４】
この各スト−カ段の下方には風箱が設けられており、この風箱内にブロワなどを使用して外気を導入し、火格子の冷却或いは被焼却物の燃焼用空気の目的で、各ストーカ段の火格子から一次空気を供給する構造になっている。この一次空気は、共通のブロアから、各ストーカ段の各風箱に導入される。また、二次燃焼室に対しても、主燃焼室で燃焼できなかった未燃ガスを燃焼させる目的で、外気が二次空気として供給される。
【０００５】
近年、焼却炉の効率向上及び環境負荷の軽減が不可欠な状況となっており、とくに、未燃ガスや有害ガスなどの排ガス量の削減を図ることが緊急の課題となっている。こういった、例えばダイオキシンなどの汚染物質を抑制するためには、可燃性ガスの未燃分を減少させる必要があり、そのためには、炉内を高温化するとともに、導入空気量を減少させることが望ましい。
【０００６】
炉内を高温化し、排ガス量低減を図る方法としては、例えば、酸素あるいは酸素富化空気を一次空気あるいは二次空気として供給して酸化を促進させることが知られている。この例としては、特開平３−２４４９１３号公報等が挙げられる。これは、一次空気及び二次空気の全部又は一部として高濃度酸素および／またはオゾンを用い、二次燃焼室の排ガス温度および燃焼排ガス量を検出し、この高濃度酸素および／またはオゾンの供給量を調節することによって二次燃焼室の燃焼排ガスを高温にコントロ−ルするものである。
【０００７】
【発明が解決しようとする課題】
しかしながら、乾燥段においてゴミの水分を蒸発させて十分に乾燥させ、着火を促進するためには、より多くの一次空気を吹きだすことが望ましいが、乾燥段への一次空気供給量が多くなると、燃焼に寄与しない空気導入量が増加してしまうことになり、更に炉内温度を低下させることにもなる。また、乾燥段への一次空気供給量を絞ると、空気導入量を減少させることができても、風箱からの風圧が弱まるため、乾燥段に積層される被焼却物全体に十分に空気が行き渡らず、結果として不完全燃焼を招き焼却効率を低下させてしまうことになる。かかる状態において、上述の特開平３−２４４９１３号公報等のように酸素あるいは酸素富化空気を一次空気として供給しても、乾燥段から酸素或いは酸素富化空気を所定量吹き出させる必要があることにはかわりなく、空気導入量を減少させることが本質的に困難である。したがって、排ガス量の削減効果は十分でなく、また、乾燥段から吹き出す一次空気が、燃焼室内の高温化を妨げる要因であることは変わりないため、多くの未燃ガスが二次燃焼室に持ち込まれ、汚染物質の抑制が十分でないという問題があった。
【０００８】
本発明は、上記実情に鑑みてなされたものであり、空気導入量を減少させ、炉内を高温化させることができるものであり、炉の焼却効率を向上させ、可燃性ガスの未燃分を削減し、環境負荷の軽減を図るストーカ式焼却炉およびそれによる焼却方法を提供するものである。
【０００９】
【課題を解決するための手段】
上記課題を解決する本発明のストーカ式焼却炉は、ゴミ供給口から燃焼室内に供給される被焼却物を、燃焼室内にて、下方に風箱を有する複数のストーカ段の上を順次移動させながら乾燥および熱分解を行い、更に燃焼させるストーカ式焼却炉において、少なくとも、前記ゴミ供給口の近くに位置して前記乾燥及び熱分解を行うストーカ段である乾燥段に積層される被焼却物に対して、前記風箱の静圧を測定し、積層されている前記被焼却物の積層厚さを推定し、推定した積層厚さに応じて前記風箱を通じて供給する空気の供給量を変化させるように調整する空気供給制御部を有することを第１の特徴とする。ここで、空気供給制御部は、空気の供給量を例えば間欠的に、あるいは周期的に変化させるように調整するものであることが望ましい。
【００１０】
この構成によると、空気導入量を減少させることができるとともに、乾燥段に積層される被焼却物全体に十分に空気を行き渡らせることが可能になる。すなわち、乾燥段に積層される被焼却物に対して、例えば間欠的に、あるいは周期的に変化させるように空気の供給量を調整するため、空気供給量が多いときには、被焼却物を攪拌させて全体に十分に空気を行き渡らせて乾燥を促すとともに、全体としては、空気供給量を減少させることが可能になる。つまり、不完全燃焼を発生させることもなく、且つ空気導入量の減少も図ることができるようになる。したがって、空気導入量を減少させ、炉内を高温化させることができ、炉の焼却効率を向上させ、可燃性ガスの未燃分を削減し、環境負荷の軽減を図るストーカ式焼却炉を得ることができる。
【００１１】
本発明のストーカ式焼却炉は、前記ストーカ段のうち少なくとも一つのストーカ段の下方に位置する風箱は、前記被焼却物の移動方向と直交する幅方向に対して複数分割され、前記移動方向に並列するよう配置されており、前記空気供給制御部は、この分割された各風箱を通じて供給する空気の供給量をそれぞれ変化させるように調整するものであることを第２の特徴とする。ここで、空気供給制御部は、各風箱に供給する空気の供給量をそれぞれ、例えば間欠的に、あるいは周期的に変化させるように調整するものであることが望ましい。
【００１２】
この構成によると、本発明のストーカ式焼却炉の第１の特徴に比して、さらに空気導入量を減少させ、炉の焼却効率を向上させることができる。通常、ゴミ供給口から供給される被焼却物は、必ずしも被焼却物の移動方向と直交する幅方向に対して均一に積層されるわけではなく、幅方向における中心付近の積層高さが最も高い山形の分布になっている。このため、風箱から一次空気を供給しても、被焼却物の積層高さが高いところでは、空気流動抵抗が大きいため空気が流入しにくく、逆に幅方向における端部付近の積層高さが低いところでは、空気流動抵抗が小さいため空気が流入しやすいという現象が発生する。このことにより、幅方向中央付近における被焼却物は不完全燃焼になりやすく、さらに、幅方向端部付近からは燃焼には寄与しない一次空気が流入しやすくなってしまう。しかし、幅方向に分割された各風箱を通じて供給する空気の供給量をそれぞれ、例えば間欠的に、あるいは周期的に変化させるように調整するため、幅方向の積層高さに応じて、それぞれ供給空気量を最適化することが可能になる。したがって、本発明のストーカ式焼却炉の第１の特徴の場合に比して、さらに空気導入量を減少させ、炉の焼却効率を向上させることができるストーカ式焼却炉を得ることができる。
【００１３】
本発明のストーカ式焼却炉による焼却方法は、ゴミ供給口から燃焼室内に供給される被焼却物を、燃焼室内にて、下方に風箱を有する複数のストーカ段の上を順次移動させながら乾燥および熱分解を行い、更に燃焼させるストーカ式焼却炉による焼却方法であって、少なくとも、前記ゴミ供給口の近くに位置して前記乾燥及び熱分解を行うストーカ段である乾燥段に積層される被焼却物に対して、前記風箱の静圧を測定し、積層されている前記被焼却物の積層厚さを推定し、推定した積層厚さに応じて前記風箱を通じて供給する空気の供給量を間欠的に変化させるように調整することを第１の特徴とする。また、本発明のストーカ式焼却炉による焼却方法は、本発明のストーカ式焼却炉による焼却方法の第１の特徴において空気の供給量を間欠的に変化させるところを、周期的に変化させるように調整することを第２の特徴とする。
【００１４】
これらの焼却方法によると、空気導入量を減少させることができるとともに、乾燥段に積層される被焼却物全体に十分に空気を行き渡らせることが可能になる。すなわち、乾燥段に積層される被焼却物に対して、間欠的あるいは周期的に変化させるように空気の供給量を調整するため、空気供給量が多いときには、被焼却物を攪拌させて全体に十分に空気を行き渡らせるとともに、全体としては、空気供給量を減少させることが可能になる。つまり、不完全燃焼を発生させることもなく、且つ空気導入量の減少も図ることができるようになる。したがって、空気導入量を減少させ、炉内を高温化させることができ、炉の焼却効率を向上させ、可燃性ガスの未燃分を削減し、環境負荷の軽減を図るストーカ式焼却炉による焼却方法を提供することができる。
【００１５】
【発明の実施の形態】
以下、本発明の実施の形態を図面に基づいて説明する。図２は、本発明に係るストーカ式焼却炉１を説明するために、ストーカ式焼却炉１の断面を模式的に示した図である。
図２において、ストーカ式焼却炉１は、ゴミ供給口２、プッシャ式のゴミ輸送機３が設けられ、それに続いて、主燃焼室７があり、その上部には２次燃焼室８が設けられ、図示しない排気管へと続く構成である。ゴミ供給口２は開放型で、それに続くゴミ輸送機３により輸送速度が制御できるようになっている。
【００１６】
主燃焼室７は、ゴミ供給口２から順に下方にスト−カ段４、５、６が下り傾斜状に延びる階段状に設置されている。各スト−カ手段４、５、６は、ゴミ供給口２に最も近い方から、順次乾燥段４、燃焼段５および後燃焼段６の合計３段からなり、ゴミ供給口２から乾燥段４の前端部に供給された被焼却物は、乾燥段４、燃焼段５および後燃焼段６に順次輸送される。
【００１７】
そして、２次燃焼室８に連なる主燃焼室７の上面壁３０は、生成する熱分解ガスが２次燃焼室８に誘導されて燃焼しやすいように、２次燃焼室８に向かって上向きに傾斜して主燃焼室７を覆う構造を有している。また、２次燃焼室８の入口には、主燃焼室７に向かって２次空気を供給する２次空気流入口２０が設けられている。ここから供給される２次空気によって、燃焼段５および後燃焼段６における燃焼によって生じた燃焼ガスに含まれる未燃分を完全燃焼させた後、図示しない排気管から排出させる。
【００１８】
図２において、主燃焼室７に設置される乾燥段４、燃焼段５および後燃焼段６は、いずれもその下方に風箱４ａ、５ａ、６ａを有し、そこから１次空気が供給されるようになっている。そして、各スト−カ段４、５、６は、それぞれ図示されない可動火格子と固定火格子とが交互に設けてあるものであり、可動火格子を前後方向に往復駆動させることにより、ゴミ供給口２から供給された被焼却物を攪拌させつつ、乾燥段４、燃焼段５および後燃焼段６上を順次後方へ輸送できるようになっている。この各スト−カ段４、５、６による被焼却物の送り速度は、可動火格子の前後動速度により任意に制御できるようになっている。また、各風箱４ａ、５ａ、６ａの下には、ダンパ２８を介して火格子相互の隙間等から落下する灰などを回収できるコンベア２９が接続されている。
【００１９】
ここで、各スト−カ段４、５、６に対応する各風箱４ａ、５ａ、６ａへの一次空気の供給機構について図１をもとに説明する。図１において、図示しない一次空気用ブロワから一次空気用配管５０を通じて各風箱に一次空気が供給される。このとき、配管５０から各風箱４ａ、５ａ、６ａには、それぞれ各分配配管５０ａ、５０ｂ、５０ｃによって接続している。この各分配配管５０ａ、５０ｂ、５０ｃには、供給する一次空気の量を調整可能なコントロールバルブ５１ａ、５１ｂ、５１ｃが、それぞれ設けられている。各コントロールバルブは、電磁弁であって、この各電磁弁のバルブ開度指令は、それぞれ空気供給制御部５２、５３によって与えられる。本実施形態例においては、図１に示すように、コントロールバルブ５１ａには空気供給制御部５２が、コントロールバルブ５１ｂ及び５１ｃに対しては空気供給制御部５３が、バルブ開度指令を与える構成となっている。
【００２０】
空気供給制御部５２において、コントロールバルブ５１ａの開度指令を、オン、オフを繰り返すように与えることで、風箱４ａに供給する空気の供給量を間欠的に変化させるよう調整している。
また、空気供給制御部５３においても、空気供給制御部５２と同様に、コントロールバルブ５１ｂ、５１ｃの開度指令を、オン、オフを繰り返すように与えることで、風箱５ａ、６ａに供給する空気の供給量を間欠的に変化させることが可能になっている。
なお、空気制御部５２および５３ともに、各コントロールバルブの開度指令を周期的に変化させるように与えるものであってもよい。
以上のように、本実施形態例に係るストーカ式焼却炉１が構成される。
【００２１】
次に、上述した構造のストーカ式焼却炉１による被焼却物の焼却工程を以下に説明する。まず、図２において、都市ゴミなどの被焼却物は、ゴミ供給口２を経てゴミ輸送機３によって押出されるように乾燥段４の上に供給される。この乾燥段４上において、被焼却物中の水分が蒸発し、着火が促進されるとともに、一部熱分解が行われる。この乾燥工程は、主として２通りの伝熱形態によって乾燥が促されるものである。一つは、風箱４ａから供給される一次空気によるものである。この一次空気は、図示しない外部加熱装置により所定の温度まで加熱された状態で供給される。そして、乾燥段４から被焼却物を通過して主燃焼室７へと至る過程において被焼却物の乾燥を行う。もう一つは、加熱され高温となった上面壁３０から、乾燥段４を移動する被焼却物の表層に対して輻射される輻射熱によるものである。
【００２２】
このとき、図１において、空気供給制御部５２により、コントロールバルブ５１ａの開度指令が、オン、オフを繰り返すように与えられる。ここで、オン時間およびオフ時間については、被焼却物の供給量等に応じて予め定めておいたパターンに基づいて与えられる。これによって、風箱４ａに供給する空気の供給量を間欠的に変化させるように調整している。このため、空気導入量を減少させることができるとともに、乾燥段に積層される被焼却物全体に十分に空気を行き渡らせることが可能になる。すなわち、乾燥段に積層される被焼却物に対して、間欠的に変化させるように空気の供給量を調整するため、空気供給量が多いときには、被焼却物を攪拌させて全体に十分に空気を行き渡らせて乾燥を促すとともに、全体としては、空気供給量を減少させることが可能になる。つまり、不完全燃焼を発生させることもなく、且つ空気導入量の減少も図ることができるようになる。
【００２３】
次に、乾燥工程を経た被焼却物は、燃焼段５へと移動させられる。ここで、風箱５ａから供給される一次空気によって着火し、揮発分および固定炭素分が燃焼される。
そして、この後、後燃焼段６では、燃焼されずに通過してきた未燃分が完全に灰になるまで燃焼される。また、燃焼室７内で生じた熱分解ガスは、二次空気と混合されて２次燃焼室８に至り、そこで燃焼させられる。
なお、燃焼段５および後燃焼段６においても、空気供給制御部５３により、空気供給制御部５２と同様に、コントロールバルブ５１ｂ、５１ｃの開度指令を、適宜、オン、オフを繰り返すように与えている。
【００２４】
以上が、本実施形態例に係るストーカ式焼却炉１による被焼却物の焼却工程であるが、これによると、空気導入量を減少させ、炉内を高温化させることができ、炉の焼却効率を向上させ、可燃性ガスの未燃分を削減し、環境負荷の軽減を図るストーカ式焼却炉を得ることができる。また、空気導入量を減少させるとともに燃焼排ガスを高温化させることができるため、一次空気を加熱するボイラ等の効率を向上させる効果も得られる。
なお、上記の実施形態例の説明は、本発明に係るストーカ式焼却炉による焼却方法の実施形態の説明を兼ねるものである。
【００２５】
また、実施の形態は、上記に限定されるものではなく、例えば、次のように変更して実施してもよい。
【００２６】
（１）本施形態例においては、図１に示すように、風箱５ａへの一次空気の供給は、分配配管５０ｂを通じて行われ、その空気供給量は、空気供給制御部５３からの指令に基づき制御されるコントロールバルブ５１ｂのバルブ開度の周期的な調整によって決定されている。しかし、図３の別実施形態例に示すように、風箱５ａは、被焼却物５４の移動方向と直交する幅方向に対して複数分割され、前記移動方向に並列するよう配置されており、空気供給制御部５３が、この分割された各風箱を通じて供給する空気の供給量をそれぞれ、間欠的にあるいは周期的に変化させるように調整するものであってもよい。
この場合、風箱５ａに対して一次空気を供給する分配配管５０ｂは、さらに配管５５ａ、５５ｂ、５５ｃに分配され、これらの配管がそれぞれ分割風箱５６ａ、５６ｂ、５６ｃに接続している。そして、配管５５ａ、５５ｂ、５５ｃには、それぞれコントロールバルブ５７ａ、５７ｂ、５７ｃが設けられており、この各コントロールバルブは、空気供給制御部５３によって、オン、オフを繰り返すように、または空気供給量が周期的に増減するように制御される。なお、各分割風箱への空気供給量の制御は、それぞれ別個独立のパターンで行うものであってもよいし、また、相互に従属関係をもたせて行うものであってもよい。相互に従属関係をもたせて制御を行った場合、例えば、分割風箱５６ａ、５６ｂ、５６ｃに対して順次空気を供給することにより、一次空気の供給系の圧力変動を抑制するなどの効果も得られる。
【００２７】
この別実施形態例によると、本実施形態例の場合に比して、さらに空気導入量を減少させ、炉の焼却効率を向上させることができる。通常、ゴミ供給口から供給される被焼却物は、必ずしも被焼却物の移動方向と直交する幅方向に対して均一に積層されるわけではなく、幅方向における中心付近の積層高さが最も高い山形の分布になっている。このため、風箱から一次空気を供給しても、被焼却物の積層高さが高いところでは、空気流動抵抗が大きいため空気が流入しにくく、逆に幅方向における端部付近の積層高さが低いところでは、空気流動抵抗が小さいため空気が流入しやすいという現象が発生する。このことにより、幅方向中央付近における被焼却物は不完全燃焼になりやすく、さらに、幅方向端部付近からは燃焼には寄与しない一次空気が流入しやすくなってしまう。しかし、幅方向に分割された各風箱を通じて供給する空気の供給量をそれぞれ、間欠的にあるいは周期的に変化させるように調整するため、幅方向の積層高さに応じて、それぞれ供給空気の量を最適化することが可能になる。
【００２８】
（２）本実施形態例においては、コントロールバルブに対して、オン、オフを繰り返すようにバルブ開度指令を与えることで、一次空気の供給量を調整している。しかし、この例に限られずに、例えば、サインカーブ的にバルブ開度指令を与えるものや、あるいは通常の流量に対して、周期的に著しく少なくするようステップ的に変化させるものなどであってもよい。この場合であっても、本実施形態例と同様の効果を奏し得る。
【００２９】
（３）本実施形態例においては、被焼却物の供給量等に応じて予め設定しておいたパターンに基づいてバルブ開度の制御を行っている。しかし、必ずしも本実施形態例のとおりでなくてもよく、例えば、風箱の静圧を測定して、積層されている被焼却物の積層厚さを推定し、これに応じて、空気供給量を間欠的に変化させるように、バルブ開度を調整する構成を有するものなどであってもよい。
【００３０】
（４）図３の別実施形態例において、燃焼段５の風箱５ａの構造を幅方向に複数分割したものについて示しているが、この構造は、必ずしも風箱５ａのみに対して適用されるものでなくてもよく、乾燥段４の風箱４ａや後燃焼段６の風箱６ａに対して適用されるものであってもよい。
【００３１】
（５）図１及び図２において、ストーカ式焼却炉として、ストーカ段が階段状に順次下がるタイプのものを説明したが、各ストーカ段が水平に配置されるタイプのものであっても、本発明の装置及び方法が適用できる。
【００３２】
（６）図１〜３において、各ストーカ段の風箱としては、各１つずつ配置されたもの、または並列して配置されたものが例示されているが、複数例えば２個の風箱が直列に配置されているものであってもよい。また、燃焼段５と後燃焼段６が一体になったタイプのストーカ式焼却炉であっても、本発明の装置及び方法が適用できる。
【００３３】
【発明の効果】
以上、説明したように、本発明のストーカ式焼却炉の第１の特徴によると、空気導入量を減少させることができるとともに、乾燥段に積層される被焼却物全体に十分に空気を行き渡らせることが可能になる。すなわち、乾燥段に積層される被焼却物に対して、例えば間欠的に、あるいは周期的に変化させるように空気の供給量を調整するため、空気供給量が多いときには、被焼却物を攪拌させて全体に十分に空気を行き渡らせて乾燥を促すとともに、全体としては、空気供給量を減少させることが可能になる。つまり、不完全燃焼を発生させることもなく、且つ空気導入量の減少も図ることができるようになる。したがって、空気導入量を減少させ、炉内を高温化させることができ、炉の焼却効率を向上させ、可燃性ガスの未燃分を削減し、環境負荷の軽減を図るストーカ式焼却炉を得ることができる。
【００３４】
本発明のストーカ式焼却炉の第２の特徴によると、本発明のストーカ式焼却炉の第１の特徴に比して、さらに空気導入量を減少させ、炉の焼却効率を向上させることができる。通常、ゴミ供給口から供給される被焼却物は、必ずしも被焼却物の移動方向と直交する幅方向に対して均一に積層されるわけではなく、幅方向における中心付近の積層高さが最も高い山形の分布になっている。このため、風箱から一次空気を供給しても、被焼却物の積層高さが高いところでは、空気流動抵抗が大きいため空気が流入しにくく、逆に幅方向における端部付近の積層高さが低いところでは、空気流動抵抗が小さいため空気が流入しやすいという現象が発生する。このことにより、幅方向中央付近における被焼却物は不完全燃焼になりやすく、さらに、幅方向端部付近からは燃焼には寄与しない一次空気が流入しやすくなってしまう。しかし、幅方向に分割された各風箱を通じて供給する空気の供給量をそれぞれ、例えば間欠的に、あるいは周期的に変化させるように調整するため、幅方向の積層高さに応じて、それぞれ供給空気の量を最適化することが可能になる。したがって、請求項１の場合に比して、さらに空気導入量を減少させ、炉の焼却効率を向上させることができるストーカ式焼却炉を得ることができる。
【００３５】
本発明のストーカ式焼却炉による焼却方法の第１の特徴または第２の特徴によると、空気導入量を減少させることができるとともに、乾燥段に積層される被焼却物全体に十分に空気を行き渡らせることが可能になる。すなわち、乾燥段に積層される被焼却物に対して、間欠的にあるいは周期的に変化させるように空気の供給量を調整するため、空気供給量が多いときには、被焼却物を攪拌させて全体に十分に空気を行き渡らせるとともに、全体としては、空気供給量を減少させることが可能になる。つまり、不完全燃焼を発生させることもなく、且つ空気導入量の減少も図ることができるようになる。したがって、空気導入量を減少させ、炉内を高温化させることができ、炉の焼却効率を向上させ、可燃性ガスの未燃分を削減し、環境負荷の軽減を図るストーカ式焼却炉による焼却方法を提供することができる。
【図面の簡単な説明】
【図１】本発明に係るストーカ式焼却炉における空気供給系統について説明する図である。
【図２】本発明に係るストーカ式焼却炉の側面の断面を模式的に示す図である。
【図３】本発明に係るストーカ式焼却炉の別実施形態例を示す図である。
【符号の説明】
１  ストーカ式焼却炉
２  ゴミ供給口
４  乾燥段
５  燃焼段
６  後燃焼段
４ａ、５ａ、６ａ  風箱
５０  一次空気供給用配管
５０ａ、５０ｂ、５０ｃ  分配配管
５１ａ、５１ｂ、５１ｃ  コントロールバルブ
５２、５３  空気供給制御部
【図１】
0004291524.tif 000002
【図２】
0004291524.tif 000003
【図３】
0004291524.tif 000004